(57)【要約】【課題】文字入力を行なう場合に、文字の選択をより容易にできるようにする。【解決手段】画像及び文字又は記号を表示可能な表示装置１５０と、表示装置に、画像中に表示させることが可能な文字又は記号の一覧を表示させる一覧表示制御部１０９と、文字又は記号の一覧上で、少なくとも縦方向、横方向、及び斜め方向にカーソルを移動させ、所望の文字又は記号を前記一覧上で直接選択する選択キー１１０とを具備する。【選択図】      図１
2006033194.tif 000002
【特許請求の範囲】
【請求項１】
画像及び文字又は記号を表示可能な表示手段と、
該表示手段に、前記画像中に表示させることが可能な文字又は記号の一覧を表示させる一覧表示手段と、
前記文字又は記号の一覧上で、少なくとも縦方向、横方向、及び斜め方向にカーソルを移動させ、所望の文字又は記号を前記一覧上で直接選択する選択手段と、
を具備することを特徴とする画像処理装置。
【請求項２】
前記画像処理装置は、前記画像を記録する記録モードと前記画像を再生する再生モードとを有し、前記記録モードと前記再生モードとで選択可能な文字又は記号のメニューが異なることを特徴とする請求項１に記載の画像処理装置。
【請求項３】
画像及び文字又は記号を表示可能な表示手段を備える画像処理装置を制御する方法であって、
前記表示手段に、前記画像中に表示させることが可能な文字又は記号の一覧を表示させる一覧表示工程と、
前記文字又は記号の一覧上で、少なくとも縦方向、横方向、及び斜め方向にカーソルを移動させ、所望の文字又は記号を前記一覧上で直接選択する選択工程と、
を具備することを特徴とする画像処理装置の制御方法。
【請求項４】
前記画像処理装置は、前記画像を記録する記録モードと前記画像を再生する再生モードとを有し、前記記録モードと前記再生モードとで選択可能な文字又は記号のメニューを異ならせることを特徴とする請求項３に記載の画像処理装置の制御方法。
【発明の詳細な説明】
【技術分野】
【０００１】
本発明は、文字入力機能を有する画像処理装置及びその制御方法に関するものである。
【背景技術】
【０００２】
従来の文字入力方法はコントロールダイヤルを使用し、選択したい文字を「あ」→「い」→「う」→「え」→「お」と順番に表示を切り換えた後、目的の文字が出てきたところで決定操作を行い、文字を決定する必要があった。入力操作性の向上を図るため、「あいうえお」「かきくけこ」などの文字グループで選択移動することを可能にすることで入力操作を簡単にする技術が知られている（例えば、特許文献１参照）。
【０００３】
以下、図９乃至図１２を参照して従来の文字入力方法について説明する。
【０００４】
図９は、タイトルを作成する際に第一文字目の文字「えんそく」の「え」および第二文字目の「ん」の入力が完成し、第三文字目の「そ」を入力する前の状態を示す画面を示す図である。画面上には、ひらがなの文字が５文字ずつのグループに分けられており、この時点では「あいうえお」のグループが選択されている。第三文字目の「そ」を入力するために、不図示のコントロールダイヤルを下に回転させて、図１０に示す様に、「そ」が含まれる「さしすせそ」のグループを選択する。この際、画面上の選択されるグループは、「あいうえお」のグループ→「かきくけこ」のグループ→「さしすせそ」のグループと移動して行く。「さしすせそ」のグループを選択した後、不図示のコントロールダイヤルを押すことで該当文字群を確定する。選択が確定すると、図１１に示すように「さしすせそ」のグループのうち、「さ」のみが選択された状態になる。次に、コントロールダイヤルを更に下に回転させると、選択された文字が、「さ」→「し」→「す」→「せ」→「そ」と移動して行く。図１２に示すように、「そ」を選択した後、コントロールダイヤルを押すと第三文字目として「そ」が登録され、表示される。ここで、誤ったグループを選択した場合、コントロールダイヤルで再度設定をし直した後に確定すればよい。この操作を繰り返し、「完成」を選択すると、タイトルの入力が完了する。
【特許文献１】特開平１０−１８７３３７号公報
【発明の開示】
【発明が解決しようとする課題】
【０００５】
上記のように、従来の文字入力方法では、コントロールダイヤルを使用し、文字入力する場合にコントロールダイヤルの上方向回転、下方向回転、ダイヤル押し操作により文字を選択決定していた。表示される文字も「あ」「い」「う」「え」「お」と順番に表示を切り換えて選択した後、次の文字を選択するときも同じ操作を繰り返し行う必要があり、文字の選択に時間と手間が掛かるという問題が生じていた。また、順番に表示を切り換える他に、表示される文字群を「あいうえお」「かきくけこ」とステップごとに順番に選択する場合も同様に文字の選択に時間と手間が掛かるという問題が生じていた。
【０００６】
従って、本発明は上述した課題に鑑みてなされたものであり、その目的は、文字入力を行なう場合に、文字の選択をより容易にできるようにすることである。
【課題を解決するための手段】
【０００７】
上述した課題を解決し、目的を達成するために、本発明に係わる画像処理装置は、画像及び文字又は記号を表示可能な表示手段と、該表示手段に、前記画像中に表示させることが可能な文字又は記号の一覧を表示させる一覧表示手段と、前記文字又は記号の一覧上で、少なくとも縦方向、横方向、及び斜め方向にカーソルを移動させ、所望の文字又は記号を前記一覧上で直接選択する選択手段と、を具備することを特徴とする。
【０００８】
また、この発明に係わる画像処理装置において、前記画像処理装置は、前記画像を記録する記録モードと前記画像を再生する再生モードとを有し、前記記録モードと前記再生モードとで選択可能な文字又は記号のメニューが異なることを特徴とする。
【０００９】
また、本発明に係わる画像処理装置の制御方法は、画像及び文字又は記号を表示可能な表示手段を備える画像処理装置を制御する方法であって、前記表示手段に、前記画像中に表示させることが可能な文字又は記号の一覧を表示させる一覧表示工程と、前記文字又は記号の一覧上で、少なくとも縦方向、横方向、及び斜め方向にカーソルを移動させ、所望の文字又は記号を前記一覧上で直接選択する選択工程と、を具備することを特徴とする。
【００１０】
また、この発明に係わる画像処理装置の制御方法において、前記画像処理装置は、前記画像を記録する記録モードと前記画像を再生する再生モードとを有し、前記記録モードと前記再生モードとで選択可能な文字又は記号のメニューを異ならせることを特徴とする。
【発明の効果】
【００１１】
本発明によれば、文字入力を行なう場合に、文字の選択をより容易に行うことが可能となる。
【発明を実施するための最良の形態】
【００１２】
以下、本発明の好適な一実施形態について、図面を参照して詳細に説明する。
【００１３】
図１は、本発明の一実施形態に係わる文字入力装置を備えたビデオカメラの構成を示すブロック図である。
【００１４】
図１において、レンズ部１０１は、被写体像を結像させるためのものであり、撮像素子１０２は、レンズ１０１により結像された被写体像を光電変換する。カメラ信号処理部１０３は、撮像素子１０２からの出力信号をマトリクス処理することによって輝度信号および色差信号を生成し、ガンマ処理、Ａ／Ｄ変換などの処理を行なう。
【００１５】
表示信号生成部１０４はカメラ信号処理部１０３からの信号を所定のフォーマットに変換して画像として表示させるための信号を生成する。大型液晶表示部１０６は液晶駆動回路１０６ａと、大型液晶パネル１０６ｂと、大型液晶パネル１０６ｂの背面から光を照射するためのバックライト１０６ｃとを備えて構成され、液晶駆動回路１０６ａには、撮像素子１０２によって撮像され表示信号生成部１０４によって生成された画像信号が入力される。
【００１６】
ＥＥＰＲＯＭ１０６ｄは、システムコントローラ１０８ｂのＲＡＭ部に一度格納された液晶駆動回路１０６ａの調整値データを保存するために用いられる。また、表示装置１５０は、大型液晶表示部１０６の他に、覗くタイプの小型液晶表示部１０７も備え、小型液晶表示部１０７は、大型液晶表示部１０６と同様に、液晶駆動回路１０７ａと、小型液晶パネル１０７ｂと、バックライト１０７ｃとを備えて構成されている。ＥＥＰＲＯＭ１０６ｄや１０７ｄは特に大型液晶表示部１０６や小型液晶表示部１０７内に構成されている必要はなく、制御部１０８に備えられるＥＥＰＲＯＭやこれに相当するフラッシュメモリ等のＲＡＭを用いてもよい。また、大型液晶パネル１０６ｂと小型液晶パネル１０７ｂを表示駆動する液晶駆動回路１０６ａや１０７ａは必ずしも別々に設けられる必要はなく、どちらか一方で両方の液晶パネルを駆動しても良い。
【００１７】
制御部１０８にはメモリコントローラ１０８ａとシステムコントローラ１０８ｂが設けられており、メモリコントローラ１０８ａは、カメラ信号処理部１０３から入力される画像データをフレームメモリに蓄積し、逆にフレームメモリの画像データをカメラ信号処理部１０３に出力する。
【００１８】
システムコントローラ１０８ｂはビデオカメラの各部の動作の制御を行っており、ＡＥ（自動露出）、ＡＷＢ（オートホワイトバランス）、ＡＦ（オートフォーカス）等の処理は、全て撮像面のデータを用いてシステムコントローラ１０８ｂにより制御されて行なわれる。これらの処理は、カメラ信号処理部１０３が画像データをシステムコントローラ１０８ｂに供給し、システムコントローラ１０８ｂが演算処理を行なって、絞り駆動回路、レンズ駆動回路、及びＣＣＤ駆動回路、カメラ信号の色処理回路、液晶駆動回路１０６ａ，１０７ａ、バックライト１０６ｃ，１０７ｃの点灯などを制御することにより実行される。
【００１９】
また、システムコントローラ１０８ｂは操作部１１１の各種スイッチ（電源スイッチ、モード切り換えスイッチ、再生スイッチ等）の操作状態に応じてビデオカメラの各部を制御し、また、必要な情報を表示装置１５０に表示させる。また、システムコントローラ１０８ｂは、操作部１１１からのスイッチ操作信号に基づいて各回路を制御するもので、撮像素子１０２の駆動制御や露出値、オートフォーカス、ホワイトバランスなどの制御も行なう。
【００２０】
なお、本実施形態では、システムコントローラ１０８ｂが撮像装置全体を制御する場合について説明したが、サブＣＰＵとメインＣＰＵとで分担する構成としても良い。
【００２１】
また、ＯＳＤ（オンスクリーンディスプレイ）コントローラ１０９は、システムコントローラ１０８ａの制御により文字情報を生成し、表示信号生成部１０４を介して、表示装置１５０に映像信号とともに文字情報を重ねて表示させる。
【００２２】
入力文字を選択するための十字キー１１０は、上方向、下方向、斜め方向、回転方向に移動操作可能であり、その操作により、ＯＳＤコントローラ１０９で生成された表示文字画面上で文字が選択される。
【００２３】
図２は、メニューモードで記録モードを選択した場合の表示例を示す図である。
【００２４】
例えばタイトルを入力する際に、画面上のどの部分に表示するかの入力場所選択、入力する文字の種類を選択する入力文字選択、文字を映像に重ねて表示するか文字だけの表示にするかの文字表示選択を選ぶ画面が表示される。図２は入力文字を選択した状態を示している。
【００２５】
図３は、図２で入力文字を選択した後の次の階層表示の一例を示す図である。入力文字の種類として「かな」、「カナ・数字」、「アイコン」、「サンプル」、「登録」が選択出来る。「サンプル」を選択すると、事前に準備された単語一覧が表示される。「登録」を選択すると、使用者が良く使う単語を登録することができる。
【００２６】
図４は、図３の記録モードを選択した場合以外の再生モードを選択した場合の表示例を示す図である。再生モードでは記録モードよりも選択項目を増やすことを示している。この場合は文字のフォントを選択出来る例である。
【００２７】
図５は、図３で入力文字の種類として「かな」を選択した場合の表示例を示す図である。
【００２８】
図６は、各選択モードを抜けた実際の表示画面を示す図である。メニューモードで記録モードを選択し、タイトルを入力する場所を画面下に設定し、入力する文字の設定を「かな」にして、映像信号に入力文字を重ねた設定である。
【００２９】
図７は、タイトルとして「がくげ」まで選択し、次の入力文字を十字キーを使用して、入力文字「い」を選択するために矢印で示すように斜めに移動させる軌跡を示している。
【００３０】
図８は、メニューモードで再生モードを選択した場合の表示例として、拡大機能での映像信号と入力文字を重ねた設定を示している。
【００３１】
以上説明したように、上記の実施形態においては、メニューモードを有し、記録モードと再生モード等が選択可能であり、その下の階層で、画面中への文字の表示場所の選択、入力する文字の種類の選択、文字表示と映像表示を合成するか否かの選択等が可能である。そして、メニューモード選択後に入力文字の一覧を画面全体に表示し、十字キーを使用して、カーソルを上方向、下方向、斜め方向、回転方向などに移動させて文字を選択後、選択した文字を十字キーを押すことで決定する。更に、十字キーを使用して、カーソルを上方向、下方向、斜め方向、回転方向などに移動させて文字の選択後、選択した文字を十字キーを押すことで決定する操作を繰り返し、文字を入力していく。
【００３２】
このような文字入力操作方法では、文字を順番に表示させていくのではなく、十字キーにより文字一覧表示画面上でダイレクトに文字を選択できるので、文字の選択に時間と手間が掛かることなく簡単に操作が可能となる。また、再生モード選択では記録モードとは異なり、表示文字の拡大機能、色選択、フォント選択などより詳細に設定することが可能となる。
【図面の簡単な説明】
【００３３】
【図１】本発明の一実施形態に係わる文字入力装置を備えたビデオカメラの構成を示すブロック図である。
【図２】メニューモードで記録モードを選択した場合の表示例を示す図である。
【図３】図２で入力文字を選択した後の次の階層表示の一例を示す図である。
【図４】図３の記録モードを選択した場合以外の再生モードを選択した場合の表示例を示す図である。
【図５】図３で入力文字の種類として「かな」を選択した場合の表示例を示す図である。
【図６】各選択モードを抜けた実際の表示画面を示す図である。
【図７】タイトルとして「がくげ」まで選択し、次の入力文字を十字キーを使用して、入力文字「い」を選択するためにカーソルを斜めに移動させる軌跡を示す図である。
【図８】メニューモードで再生モードを選択した場合の表示例として、拡大機能での映像信号と入力文字を重ねた設定を示す図である。
【図９】従来の入力文字選択の表示画面を示す図である。
【図１０】従来の入力文字選択の表示画面を示す図である。
【図１１】従来の入力文字選択の表示画面を示す図である。
【図１２】従来の入力文字選択の表示画面を示す図である。
【符号の説明】
【００３４】
１０１  レンズ部
１０２  撮像素子
１０３  カメラ信号処理部
１０４  表示信号再生部
１０６  大型液晶表示部
１０６ａ  液晶駆動回路
１０６ｂ  大型液晶パネル
１０６ｃ  バックライト
１０６ｄ  ＥＥＰＲＯＭ
１０７  小型液晶表示部
１０７ａ  液晶駆動回路
１０７ｂ  小型液晶パネル
１０７ｃ  バックライト
１０７ｄ  ＥＥＰＲＯＭ
１０８  制御部
１０８ａ  メモリコントローラ
１０８ｂ  システムコントローラ
１０９  ＯＳＤコントローラ
１１０  十字キー
１１１  操作キー
【図１】
2006033194.tif 000003
【図２】
2006033194.tif 000004
【図３】
2006033194.tif 000005
【図４】
2006033194.tif 000006
【図５】
2006033194.tif 000007
【図６】
2006033194.tif 000008
【図７】
2006033194.tif 000009
【図８】
2006033194.tif 000010
【図９】
2006033194.tif 000011
【図１０】
2006033194.tif 000012
【図１１】
2006033194.tif 000013
【図１２】
2006033194.tif 000014